【事件の表示】
　平成　６年特許願第１８２９９１号「電子スチル・カメラおよびその制御方法」拒絶査定不服審判事件〔平成　８年　２月　２日出願公開、特開平　８−　３２８４７〕について、次のとおり審決する。
【結　論】
　本件審判の請求は、成り立たない。
【理　由】
１．手続の経緯
　本願は、平成６年７月１３日の出願であって、平成１５年３月２５日付けで拒絶査定がなされ、これに対し、同年５日１日に拒絶査定に対する審判請求がなされるとともに、同年５月３０日付けで手続補正がなされたものである。
　
２．平成１５年５月３０日付けの手続補正についての補正却下の決定
[補正却下の決定の結論]
　平成１５年５月３０日付けの手続補正を却下する。
[理由]
（１）補正後の本願発明
　本件補正により、特許請求の範囲の請求項１は、
「被写体を撮像し，被写体像を表わす画像データを出力する撮像手段，
  上記撮像手段から出力された複数駒の画像データをあらかじめ定められた順序でかつあらかじめ定められた記憶領域に記憶する記憶手段，
  エンドレス撮影モードまたはリミテッド撮影モードを設定するモード設定手段，
  上記モード設定手段によりエンドレス撮影モードが設定されているときに，撮影指令に応答して上記撮影手段を用いて被写体を撮像し，撮像によって得られた画像データを，上記記憶手段に順次記憶し，上記記憶手段に記憶する領域が無くなったときには最も古く記憶された画像データを消去し，撮像によって得られた最も新しい画像データを上記記憶手段に記憶するエンドレス撮影モード制御手段，
  上記モード設定手段によりリミテッド撮影モードが設定されているときに，撮影指令に応答して上記撮像手段を用いて被写体を撮像し，撮像によって得られた画像データを，上記記憶手段に順次記憶し，上記記憶手段に記憶する領域が無くなったときには上記撮像手段による撮像を禁止するリミテッド撮像モード制御手段，
　上記記憶手段の記憶領域に対応して複数の表示領域が設けられており，上記記憶領域に記憶された画像データによって表わされる被写体像を表示する表示手段，
  被写体が表示されている上記表示手段の複数の表示領域の中から画像を選択する選択手段，および
　上記記憶手段に記憶されている画像データのうち，上記選択手段によって選択された画像を表わす画像データを読出し，記録媒体に記録する記録制御手段，
  を備えた電子スチル・カメラ。」と補正された。
　上記補正は、請求項１に記載した発明を特定するために「上記記憶手段の記憶領域に対応して複数の表示領域が設けられており，上記記憶領域に記憶された画像データによって表わされる被写体像を表示する表示手段，被写体が表示されている上記表示手段の複数の表示領域の中から画像を選択する選択手段，および上記記憶手段に記憶されている画像データのうち，上記選択手段によって選択された画像を表わす画像データを読出し，記録媒体に記録する記録制御手段」との限定を付加するものであって、特許法第１７条の２第３項第２号の特許請求の範囲の減縮を目的とするものに該当する。
　そこで、本件補正後の前記請求項１に記載された発明（以下、「本願補正発明」という）が特許出願の際独立して特許を受けることができるものであるか（平成６年法改正前特許法第１７条の２第４項において読み替えて準用する同法第１２６条第３項の規定に適合するか）について以下に検討する。
　
（２）刊行物
ア　原審拒絶理由で引用された、本願の出願日前である平成３年１２月１９日に頒布された「特開平３−２８９８８２号公報」（以下、「刊行物１」という）は、「記憶装置」に関するものであって、その公報には次の事項が記載されている。
（ア）「本願出願人は、（中略）比較的大容量な画像データを記録媒体上に記録するにあたり、一旦半導体メモリ（バッファメモリ）に、記録すべき複数枚の画像データを記憶しておき、連写動作が終了した後に上記メモリから読み出した画像データを記録媒体上に記録する記録装置を提案した。（中略）ところが、上述のような半導体メモリを備えた記録装置においては、記録媒体上には十分な容量があるにもかかわらず、この半導体メモリの容量に限界があるために長時間に亘る連写動作を不可能にしてしまうという欠点がある。」（２頁左上欄４行ないし１６行）
（イ）「第１図は本実施例に係る電子カメラの電気的構成を示すブロック図であり、この電子カメラにおいて、被写体からの撮像光は（中略）光学系１を介してＣＣＤ等を用いたセンサ２に入射して光電変換され、これによって得られる映像信号は（中略）Ａ／Ｄ（中略）変換器４にて（中略）デジタル信号に変換される。上記Ａ／Ｄ変換器４から出力される画像データはデジタル信号処理回路（ＤＳＰ）５に供給され、（中略）このＤＳＰ５にてデジタル処理された画像データは、メモリ制御回路７にて制御されるＲＡＭ等を用いた少なくとも２フレーム（４フィールド）分の記憶容量を有するメモリ回路８に一旦記憶された後、記録時には再度上記ＤＳＰ５を介して記録再生回路９に供給される。また、上記メモリ制御回路７は、上記シスコン６にて設定される動作モードに応じて後述するような所定のメモリ制御を行なう。（中略）上記記録再生回路９には、（中略）モードフラグが供給され、このモードフラグは画像データ（中略）に付加されて回転ドラム１１に取り付けられた磁気ヘッドＨｅ１、Ｈｅ２に供給される。これによって画像データ及びモードフラグは磁気テープＴｐ上に斜め記録される。なお、上記モードフラグは撮影モード及び連写モードに応じて設定されるものである。上記記録再生回路９は、（中略）記録状態の場合には上述のように画像データ（中略）を各磁気ヘッドＨｅ１，Ｈｅ２に交互に供給する。」（２頁右下欄２行ないし３頁右上欄１５行、第１図）
（ウ）「撮影モード設定スイッチＳＷ５の操作に応じて連写モードか単写モードかを設定し、連写モード設定スイッチＳＷ６の操作に応じて連写モードを第１通常連写モード（中略）に設定する。ここで、本実施例における上記第１通常連写モードとは、上記第２レリーズスイッチＳＷ３をオフした時点、すなわち連写動作を中止した時点から４秒間前までの１秒間に４フィールドの割り合いで撮影された１６枚分の画像データを（中略）上記メモリ回路８に記憶しておき、ＳＷ３をオフした後にこの１６枚分の画像データを磁気テープＴｐに記録するものである。」（３頁右下欄８行ないし4頁左上欄１行）
（エ）「記録モードにおいては、（中略）第２レリーズスイチＳＷ３が（中略）オンされた段階でセンサ２から得られた映像信号をデジタル化して（中略）メモリ回路８に書き込む（中略）。（中略）第１（中略）の通常連写モードにおいては（中略）第２レリーズスイッチＳＷ３がオンされるまで待ち（中略）、オンされた段階で（中略）連写モードに応じた所定のパターンでメモリ回路８に順次書き込み（中略）、上記第２レリーズスイッチＳＷ３がオフされるまで継続する（中略）。すなわち、第１の通常連写モードにおいては、第３図（Ａ）に示すように１秒間に４フィールドの割り合いで供給される画像データを１／９に圧縮して順次記録していき、メモリ回路８の容量が一杯になった段階、すなわち第１７枚目分以降の画像データＰ１７、ＰN・・・が供給された段階で、古い画像データＰ１，Ｐ２・・・を新しい画像データＰ１７，Ｐ１８・・・に順次書き換えていく。これによって、上記メモリ回路８には、第４図（Ａ）に示すように単に最新の１６枚分の画像データＰ１〜Ｐ１６（Ｐ３〜Ｐ１８）が記憶されることになる。」（４頁右上欄９行ないし右下欄１７行、第３，４図）
イ　原審拒絶理由で引用された、本願の出願日前である平成４年６月８日に頒布された「特開平４−１６２８８１号公報」（以下、「刊行物２」という）は、「記憶装置」に関するものであって、その公報には次の事項が記載されている。
「光電変換器６に露光された被写体の像を（中略）ＲＷＭ９に書き込む。（中略）９ショット撮り終ると（中略）一時記憶処理から抜け出し、選択及び恒久記録処理ルーチンに移行する。（中略）モニタ１１にはＲＷＭ９の内容のうち、複数画像分のデータを間引いて、マルチ画として表示すると次の操作の選択との関係上、使い易い。例えば前述の９ショットでエクスポージャブランケッティングを完結する時にはモニタ１１の画面に露光量の異なる９コマの画面を３×３の配列で一度に表示すると選択するのに便利である。（中略）まず、一時記憶モードが終了し恒久記録画面選択モードに移ったことを表示する（中略）。次に、システムコントローラ２３は選択キー（中略）の入力を待つ（中略）。このとき押された選択キーにより特定のコマを恒久記録する。」（４頁左下欄１８行ないし５頁左上欄１６行）
　
（３）対比・判断
ア　本願補正発明と刊行物１に記載された発明（以下、「刊行物発明」という）との対比
　本願補正発明と刊行物発明を対比すると、
（ア）上記２（２）ア（イ）によれば、刊行物発明は、被写体からの撮像光が光学系１を介してセンサ２に入射して光電変換され、これによって得られる映像信号はＡ／Ｄ変換器４から出力され画像データとなるので、刊行物発明と本願補正発明とは、「被写体を撮像し，被写体像を表わす画像データを出力する撮像手段」を有する点で一致している。
（イ）上記２（２）ア（エ）によれば、刊行物発明のものは、供給される画像データを順次記録していき、メモリ回路の容量が一杯になった段階、すなわち第１７枚目分以降の画像データＰ１７、ＰN・・・が供給された段階で、古い画像データＰ１，Ｐ２・・・を新しい画像データＰ１７，Ｐ１８・・・に順次書き換えていく。してみれば、Ｐ１，Ｐ２・・・と順次記録しているものであって、Ｐ１７を（あらかじめ定められているところの）Ｐ１（の記憶領域）に上書きし、Ｐ１８を（あらかじめ定められているところの）Ｐ２（の記憶領域）に上書きして順次記録していくといえるので、刊行物発明と本願補正発明とは、「上記撮像手段から出力された複数駒の画像データをあらかじめ定められた順序でかつあらかじめ定められた記憶領域に記憶する記憶手段」を有する点で一致している。
（ウ）上記２（２）ア（エ）によれば、刊行物発明のものは、第２レリーズスイッチＳＷ３がオン（本願補正発明の撮影指令に相当）された段階でセンサ２から得られた映像信号をデジタル化してメモリ回路８に書き込むものであり、第１の通常連写モードにおいては第２レリーズスイッチＳＷ３がオンされた段階で連写モードに応じた所定のパターンでメモリ回路８に順次書き込み、上記第２レリーズスイッチＳＷ３がオフされるまで継続するものであるから、レリーズスイッチＳＷ３がオフされるまでエンドレスで撮影するように（制御）しているものといえるので、上記（イ）での言及を勘案すると、結局、刊行物発明と本願補正発明とは、「撮影指令に応答して上記撮影手段を用いて被写体を撮像し，撮像によって得られた画像データを，上記記憶手段に順次記憶し，上記記憶手段に記憶する領域が無くなったときには最も古く記憶された画像データを消去し，撮像によって得られた最も新しい画像データを上記記憶手段に記憶するエンドレス撮影モード制御手段を備えた」点で実質的に一致している。
（エ）上記２（２）ア（ウ）によれば、刊行物発明は、選択手段によって選択された画像を表わす画像データを記録するのではないものの、連写動作を中止した時点から４秒間前までに撮影された画像データを上記メモリ回路８に記憶しておき、この画像データを磁気テープＴｐに記録するように（制御）しているものといえるから、刊行物発明と本願補正発明とは、「上記記憶手段に記憶されている画像データを読出し，記録媒体に記録する記録制御手段」を有する点で実質的に一致している。
（オ）上記２（２）ア（イ）（ウ）によれば、刊行物発明は、（静止画の）単写モード、連写モードを有する電子カメラであるから、刊行物発明と本願補正発明とは、「電子スチル・カメラ。」である点で一致している。
（カ）したがって、両者は「被写体を撮像し，被写体像を表わす画像データを出力する撮像手段，上記撮像手段から出力された複数駒の画像データをあらかじめ定められた順序でかつあらかじめ定められた記憶領域に記憶する記憶手段，撮影指令に応答して上記撮影手段を用いて被写体を撮像し，撮像によって得られた画像データを，上記記憶手段に順次記憶し，上記記憶手段に記憶する領域が無くなったときには最も古く記憶された画像データを消去し，撮像によって得られた最も新しい画像データを上記記憶手段に記憶するエンドレス撮影モード制御手段，を備えた電子スチル・カメラ。」である点で一致し、次の点で相違しているものと認められる。
ａ　本願補正発明は、さらに「エンドレス撮影モードまたはリミテッド撮影モードを設定するモード設定手段」を有し、「上記モード設定手段によりリミテッド撮影モードが設定されているときに，撮影指令に応答して上記撮像手段を用いて被写体を撮像し，撮像によって得られた画像データを，上記記憶手段に順次記憶し，上記記憶手段に記憶する領域が無くなったときには上記撮像手段による撮像を禁止するリミテッド撮像モード制御手段」を有し、エンドレス撮影モードは「上記モード設定手段によりエンドレス撮影モードが設定されているときに」エンドレス撮影モード制御手段が動作するものであるのに対し、刊行物発明は、エンドレス撮影モード制御手段を有している点
ｂ　「記憶手段に記憶されている画像データを読出し，記録媒体に記録する記録制御手段」について、本願補正発明は、「上記記憶手段の記憶領域に対応して複数の表示領域が設けられており，上記記憶領域に記憶された画像データによって表わされる被写体像を表示する表示手段，被写体が表示されている上記表示手段の複数の表示領域の中から画像を選択する選択手段，および上記記憶手段に記憶されている画像データのうち，上記選択手段によって選択された画像を表わす画像データを読出し，記録媒体に記録する記録制御手段」を有するものであるのに対し、刊行物発明は、上記２（２）ア（ウ）によれば、上記記憶手段に記憶されている画像データを読出し，記録媒体にすべて記録する記録制御手段を有するものである点
　　
イ　相違点についての検討
（ア）相違点ａについて
　上記２（２）ア（ア）によれば、刊行物１には、撮影指令に応答して上記撮像手段を用いて被写体を撮像し，撮像によって得られた画像データを，上記記憶手段に順次記憶し，上記記憶手段に記憶する領域が無くなったときには上記撮像手段による撮像を禁止するリミテッド撮影モードについて示唆されており、当該モードが動作するように制御されることも実質的に示唆されているといえるから、結局、「撮影指令に応答して上記撮像手段を用いて被写体を撮像し，撮像によって得られた画像データを，上記記憶手段に順次記憶し，上記記憶手段に記憶する領域が無くなったときには上記撮像手段による撮像を禁止するリミテッド撮像モード制御手段」が実質的に示唆されているといえる。また、従来の機能を維持しつつ新たな機能を付加していずれも使用できるようにすることは常套であるから、従来のリミテッド撮影モードを維持しつつエンドレス撮影モードと選択（いずれかを設定）可能とすることは特段の工夫を要するものでなく、個々の実施態様に応じて適宜なし得る設計的事項といえる。
　してみれば、「エンドレス撮影モードまたはリミテッド撮影モードを設定するモード設定手段，上記モード設定手段によりエンドレス撮影モードが設定されているときに，撮影指令に応答して上記撮影手段を用いて被写体を撮像し，撮像によって得られた画像データを，上記記憶手段に順次記憶し，上記記憶手段に記憶する領域が無くなったときには最も古く記憶された画像データを消去し，撮像によって得られた最も新しい画像データを上記記憶手段に記憶するエンドレス撮影モード制御手段，上記モード設定手段によりリミテッド撮影モードが設定されているときに，撮影指令に応答して上記撮像手段を用いて被写体を撮像し，撮像によって得られた画像データを，上記記憶手段に順次記憶し，上記記憶手段に記憶する領域が無くなったときには上記撮像手段による撮像を禁止するリミテッド撮像モード制御手段」を有するものとすることは当業者が容易に推考しえたといえる。
（イ） 相違点ｂについて
　「記憶手段の記憶領域に対応して複数の表示領域が設けられており，上記記憶領域に記憶された画像データによって表わされる被写体像を表示する表示手段」「被写体が表示されている上記表示手段の複数の表示領域の中から画像を選択する選択手段」「上記記憶手段に記憶されている画像データのうち，上記選択手段によって選択された画像を表わす画像データを読出し，記録媒体に記録する記録制御手段」はいずれも例えば上記刊行物２に記載（上記２（２）イ参照）されているように周知技術であり、適宜採用できる程度のものであるから、「上記記憶手段の記憶領域に対応して複数の表示領域が設けられており，上記記憶領域に記憶された画像データによって表わされる被写体像を表示する表示手段，被写体が表示されている上記表示手段の複数の表示領域の中から画像を選択する選択手段，および上記記憶手段に記憶されている画像データのうち，上記選択手段によって選択された画像を表わす画像データを読出し，記録媒体に記録する記録制御手段」を有するようにすることは、当業者が容易に推考しえたといえる。
（ウ）そして、これら相違点を総合的に考慮しても当業者が推考し難い格別のものであるとすることはできず、また本願補正発明の効果についてみても、上記構成の採用に伴って当然に予測される程度のものにすぎず、格別顕著なものがあるともいえない。　
　したがって、本願補正発明は、刊行物１に記載された発明および周知技術に基づいて、当業者が容易に発明をすることができたものであるから、特許法第２９条第２項の規定により特許出願の際独立して特許を受けることができないものである。
　
（４）むすび
　以上のとおり、本件補正は、平成６年改正前特許法第１７条の２第４項において読み替えて準用する同法第１２６条第３項の規定に違反するものであり、特許法第１５９条第１項において読み替えて準用する特許法第５３条第１項の規定により却下されるべきものである。
　
３．本願発明について
　平成１５年５月３０日付けの手続補正は上記のとおり却下されたので、本願の請求項１に係る発明（以下、同項記載の発明を「本願発明」という）は、平成１４年８月５日付け手続補正書の特許請求の範囲の請求項１に記載された事項により特定される、以下のとおりのものである。
「　被写体を撮像し，被写体像を表わす画像データを出力する撮像手段，
　上記撮像手段から出力された複数駒の画像データをあらかじめ定められた順序でかつあらかじめ定められた記憶領域に記憶する記憶手段，
　上記記憶手段の記憶領域に対応して複数の表示領域が設けられており、上記記憶領域に記憶された画像データによって表わされる被写体像を表示する表示手段、
　エンドレス撮影モードまたはリミテッド撮影モードを設定するモード設定手段，
　上記モード設定手段によりエンドレス撮影モードが設定されているときに，撮影指令に応答して上記撮影手段を用いて被写体を撮像し，撮像によって得られた画像データを，上記記憶手段に順次記録し，上記記憶手段に記憶する領域が無くなったときには最も古く記憶された画像データを消去し，撮像によって得られた最も新しい画像データを上記記憶手段に記憶するエンドレス撮影モード制御手段，
　上記モード設定手段によりリミテッド撮影モードが設定されているときに，撮影指令に応答して上記撮像手段を用いて被写体を撮像し，撮像によって得られた画像データを，上記記憶手段に順次記録し，上記記憶手段に記憶する領域が無くなったときには上記撮像手段による撮像を禁止するリミテッド撮像モード制御手段，および
　与えられる記録指令に応答して上記記憶手段に記憶された画像データを読出し，記録媒体に記録する記録制御手段，
　を備えた電子スチル・カメラ。」
　
（１）刊行物
　原査定の拒絶の理由に引用された刊行物、および、その記載事項は、前記「２．（２）」に記載したとおりである。
　
（２）対比・判断
　本願発明は、前記２．で検討した本願補正発明から限定事項である「上記記憶手段の記憶領域に対応して複数の表示領域が設けられており，上記記憶領域に記憶された画像データによって表わされる被写体像を表示する表示手段，被写体が表示されている上記表示手段の複数の表示領域の中から画像を選択する選択手段，および上記記憶手段に記憶されている画像データのうち，上記選択手段によって選択された画像を表わす画像データを読出し，記録媒体に記録する記録制御手段」との構成を省いたものである。
　そうすると、本願発明の構成要件を全て含み、さらに他の構成要件を付加したものに相当する本願補正発明が、前記「２．（３）」に記載したとおり、刊行物１に記載された発明および周知技術に基づいて、当業者が容易に発明をすることができたものであるから、本願発明も、同様の理由により、刊行物１に記載された発明および周知技術に基づいて、当業者が容易に発明をすることができたものである。
　
（３）むすび
　したがって、本願発明は、刊行物１に記載された発明および周知技術に基いて当業者が容易に発明をすることができたものであるので、本願は、特許法第２９条第２項の規定により特許を受けることができない。
　よって、結論のとおり審決する。